(57)【要約】【課題】  本発明は、例えば、複数種類の機能を実現するのに有利なアダプタレンズ装置を提供することを目的とする。【解決手段】  カメラ装置とレンズ装置との間に着脱可能なアダプタレンズ装置であって、軸を有する固定筒と、前記軸の周りの回動が可能な第１操作部材と、前記軸の周りの回動が可能な第２操作部材と、第１光学部材を保持する第１保持部材と、第２光学部材を保持する第２保持部材と、を有し、前記第１保持部材および前記第２保持部材は、前記第１操作部材の前記回動により前記固定筒に対して前記軸に沿って移動するように構成され、前記第２保持部材は、前記第２操作部材の前記回動により前記第１保持部材に対して前記軸に沿って移動するように構成されている、ことを特徴とする。【選択図】  図３
2019124866.tif 000002
【特許請求の範囲】
【請求項１】
カメラ装置とレンズ装置との間に着脱可能なアダプタレンズ装置であって、
軸を有する固定筒と、前記軸の周りの回動が可能な第１操作部材と、前記軸の周りの回動が可能な第２操作部材と、第１光学部材を保持する第１保持部材と、第２光学部材を保持する第２保持部材と、を有し、
前記第１保持部材および前記第２保持部材は、前記第１操作部材の前記回動により前記固定筒に対して前記軸に沿って移動するように構成され、
前記第２保持部材は、前記第２操作部材の前記回動により前記第１保持部材に対して前記軸に沿って移動するように構成されている、
ことを特徴とするアダプタレンズ装置。
【請求項２】
前記第１保持部材および前記第２保持部材は、互いに螺合していることを特徴とする請求項１に記載のアダプタレンズ装置。
【請求項３】
前記第１操作部材の外径および前記第２操作部材の外径は、互いに異なっていることを特徴とする請求項１または２に記載のアダプタレンズ装置。
【請求項４】
前記第１操作部材の外面の性状および前記第２操作部材の外面の性状は、互いに異なっていることを特徴とする請求項１ないし３のうちいずれか１項に記載のアダプタレンズ装置。
【請求項５】
前記軸の周りの回動が可能な第３操作部材を有し、
前記第３操作部材は、前記第１操作部材および前記第２操作部材のうちの一方に選択的に係合が可能に構成されていることを特徴とする請求項１ないし４のうちいずれか１項に記載のアダプタレンズ装置。
【請求項６】
前記第３操作部材は、前記第１操作部材および前記第２操作部材の外側に配置されていることを特徴とする請求項５に記載のアダプタレンズ装置。
【請求項７】
請求項１ないし６のうちいずれか１項に記載のアダプタレンズ装置と、
前記アダプタレンズ装置を介して形成された像を受けるカメラ装置と、
を有することを特徴とする撮像装置。
【発明の詳細な説明】
【技術分野】
【０００１】
本発明は、アダプタレンズ装置および撮像装置に関するものである。
【背景技術】
【０００２】
柔らかな映像表現を求めるユーザーがいる一方で、シャープな映像表現を求めるユーザーがいるというように、レンズ装置での映像表現には、そのユーザーにより好みが存在する。また、撮影の状況や分野によっても、様々な映像表現が求められる。そのため、所有しているレンズ装置を活用して多様な映像表現をできることが望まれている。
【０００３】
当該要望には、所有するレンズ装置にアダプタ装置（アダプタレンズ装置）を装着するのが有効である。
【０００４】
特許文献１は、調整するレンズ移動枠にテーパ穴を設け、そのテーパ穴にネジ部材を当接させ、そのねじ込み量でレンズの移動量（位置）を調節する装置（コリメート装置）を開示している。また、特許文献２は、アクチュエータを用いてレンズの移動（駆動）を行うアダプタレンズ装置を開示している。
【先行技術文献】
【特許文献】
【０００５】
【特許文献１】特開平０１−１５２４０６号公報
【特許文献２】特開２０１２−１８９７１１号公報
【発明の概要】
【発明が解決しようとする課題】
【０００６】
特許文献２のアダプタレンズ装置は、可動のレンズユニットが１つしか存在せず、当該レンズユニットにより１つの機能（例えば映像表現）しか実現することができない。
【０００７】
本発明は、例えば、複数種類の機能を実現するのに有利なアダプタレンズ装置を提供することを目的とする。
【課題を解決するための手段】
【０００８】
上記目的を達成するために、本発明のアダプタレンズ装置は、カメラ装置とレンズ装置との間に着脱可能なアダプタレンズ装置であって、軸を有する固定筒と、前記軸の周りの回動が可能な第１操作部材と、前記軸の周りの回動が可能な第２操作部材と、第１光学部材を保持する第１保持部材と、第２光学部材を保持する第２保持部材と、を有し、前記第１保持部材および前記第２保持部材は、前記第１操作部材の前記回動により前記固定筒に対して前記軸に沿って移動するように構成され、前記第２保持部材は、前記第２操作部材の前記回動により前記第１保持部材に対して前記軸に沿って移動するように構成されている、ことを特徴とする。
【発明の効果】
【０００９】
本発明によれば、例えば、複数種類の機能の実現に有利なアダプタレンズ装置を提供することができる。
【図面の簡単な説明】
【００１０】
【図１】本実施例におけるアダプタレンズ装置を装着した時の図
【図２】本実施例１におけるアダプタレンズ装置の斜視図
【図３】本実施例１におけるアダプタレンズ装置の断面図
【図４】本実施例１における連結ピンとフォークの連結を表した斜視図
【図５】本実施例２におけるアダプタレンズ装置の断面図
【図６】本実施例３におけるアダプタレンズ装置の斜視図
【図７】本実施例４におけるアダプタレンズ装置の斜視図
【図８】本実施例４におけるアダプタレンズ装置の断面図
【図９】本実施例４における切換スイッチ部の拡大図
【発明を実施するための形態】
【００１１】
以下に、本発明の好ましい実施の形態を、添付の図面に基づいて詳細に説明する。
図１は、本実施例におけるアダプタレンズ装置３０を、レンズ装置４０およびカメラ装置５０に装着した時の図である。図２は、本実施例１におけるアダプタレンズ装置の斜視図である。図３は、本実施例１におけるアダプタレンズ装置３０の断面図である。図４は、本実施例１におけるアダプタレンズ装置３０の、連結ピン１２とフォーク（連結部）１１の連結を表した図である。図５は、本実施例２におけるアダプタレンズ装置３０の断面図である。図６は、本実施例３におけるアダプタレンズ装置３０の斜視図である。図７は、本実施例４におけるアダプタレンズ装置３０の斜視図である。図８は、本実施例４におけるアダプタレンズ装置３０の断面図である。図９は、本実施例４におけるアダプタレンズ装置３０の切換スイッチ１９部の拡大図である。
【００１２】
図１、２を参照して、アダプタレンズ装置について説明する。本実施例のアダプタレンズ装置３０は、光軸１００方向の前後に、レンズ装置側マウント１３、撮像装置側マウント１４が付設される。アダプタレンズ装置３０はレンズ装置４０と、レンズ装置４０で形成された像を受ける撮像素子を有するカメラ装置５０の間に着脱可能に装着され、第１操作環（第１操作部材）９、第２操作環（第２操作部材）１０を回動することにより筐体内のレンズ群が光軸１００方向に沿って移動し、映像表現を変化させることが可能となる。
【実施例１】
【００１３】
図２、３、４を参照して、本実施例１におけるアダプタレンズ装置３０について説明する。レンズ１（第１光学部材）、レンズ２（第２光学部材）、レンズ３（第３光学部材）は、それぞれ第１保持枠（第１保持部材）４、第２保持枠（第２保持部材）５、第３保持枠（第３保持部材）６に保持される。第３保持部材６は、固定筒８に固定される。第１保持枠４には、光軸１００回りに複数のカムフォロワ１５が付設される。第２保持枠５には、フォーク１１が付設され、固定筒８に回動自在に嵌合された第２操作環１０と連結ピン１２を介して連結される。第１保持枠４、第２保持枠５にはそれぞれ光軸方向に軸方向を有する螺合部１８が設けられており、互いに螺合する。カム筒７には、第１保持枠４の光軸１００方向の軌跡を描いたカム溝２５が光軸１００回りに複数付設され、固定筒８の内側で光軸１００回りに回動自在に付勢される。固定筒８には、第１保持枠４を光軸１００方向に沿って摺動可能に案内する複数の案内溝（光軸方向に延在する直溝）２６が光軸１００回りの複数箇所に付設される。第１保持枠４に付設されたカムフォロワ１５は、カム筒７に設けられたカム溝２５と、固定筒８に設けられた案内溝２６に係合する。第１操作環９は、光軸１００回りに回動自在で固定筒８に嵌合し、押え環１６、１７によって固定筒８に付勢される。また第１操作環９は、不図示の連結ピンを介してカム筒７に連結される。第１操作環９を回動することによりカム筒７も回動し、第１保持枠４がカム溝２５と案内溝２６で直動され、光軸１００方向に所定の軌跡に沿って前後移動する。その際、第２保持枠５は第１保持枠４に螺合しているため、第１操作環９の回動に連動して、第１保持枠４と共に光軸方向に沿って前後移動する。本実施例では、レンズ１とレンズ２が共に光軸１００方向に移動することで、近接した被写体を撮影することが可能なマクロ効果を付与する。第２操作環１０は、光軸１００回りに回動自在で固定筒８に嵌合し、押え環１７によって固定筒８に付勢される。第２操作環１０を回動すると、連結ピン１２とフォーク１１の連結機構により、第２保持枠５のみが光軸１００方向に沿って前後移動する。すなわち、連結ピン１２とフォーク１１は、光軸回りの回転方向の力を第２操作環１０と第２保持枠５との間で伝達するが、光軸１００方向の移動については、互いに相対移動が可能な構成となっている。本実施例では、レンズ１に対してレンズ２のみが光軸１００方向に移動することにより収差を可変し、映像表現に変化を与える。以上のように、本実施例１によれば、簡易な構造で１つのアダプタレンズ装置に２種類の映像表現の変化を持たせることができる。本実施例では、映像表現の変化として、レンズ１、２を共に移動することで近接した被写体を撮影することが可能なマクロ効果を、レンズ２のみを移動することで収差可変の効果を持たせたが、それらに限るものではない。
【実施例２】
【００１４】
図５を参照して、本実施例２におけるアダプタレンズ装置３０について説明する。アダプタレンズ装置３０は、図１に示されるように、レンズ装置４０とカメラ装置５０との間に装着される。そのため、カメラ装置５０との距離が近く、かつ狭いスペースで操作しなければならない。そこで、誤操作しない優れた操作性が求められる。そこで本実施例２では、第１操作環９と第２操作環１０の外径が異なるようにすることにより、目視せずとも操作環の識別を可能とし、誤操作を防止することができる。本実施例２では、操作環の径差を、直径２２が直径２３より小さいものとしたが、直径２２が直径２３よりも大きくてもよい。
【実施例３】
【００１５】
図６を参照して、本実施例３におけるアダプタレンズ装置３０について説明する。本実施例２で説明した誤操作防止として、本実施例３では、第１操作環９と第２操作環１０の外面の表面形状（性状）を変えることとする。図６では、第１操作環９にギアを設けることにより、目視せずとも操作環の識別を可能にし、誤操作を防止することができる。本実施例３では、表面形状にギアを設けたが、表面形状はこれに限ったものではなく、触覚で操作環を識別可能とする表面形状であればよい。
【実施例４】
【００１６】
図７、８、９を参照して、本実施例４におけるアダプタレンズ装置３０について説明する。アダプタレンズ装置３０の主な構成は、本実施例１と同様であるため、本実施例１と異なる構成について説明する。第１操作環９、第２操作環１０には、ギアが付設される。共通操作環（第３操作部材）２１は、光軸１００回りに回動自在で固定筒８に嵌合され、第１操作環９、第２操作環１０よりも外側に配置される。共通操作環２１には切換スイッチ（切換部）１９が設けられ、切換スイッチ１９には切換ピン２０が付設される。切換スイッチ１９を矢印２４方向にスライドし、切換ピン２０が第１操作環９もしくは第２操作環１０のどちらか一方のギアに選択的に係合することにより、第１操作環９、第２操作環１０のどちらか一方の操作を選択するように切換えることができる。切換スイッチ１９は不図示の付勢機構により、切換ピン２０が第１操作環９のギアに係合する位置、第２操作環１０のギアに係合する位置、どちらのギアにも係合しない位置の３箇所に付勢され切り換えを行うことができる。その際、切換ピン２０が係合しないときにはレンズ操作環が回動しないようなロック機構を設けても良い。以上のように、本実施例４によれば、レンズ操作環を１つに共通化し、切換スイッチによって駆動するレンズを選択することで、誤操作を防止することができる。
【００１７】
以上、本発明に好ましい実施形態について説明したが、本発明はこれらの実施形態に限定されず、その要旨の範囲内で種々の変形および変更が可能である。
【符号の説明】
【００１８】
１：第１レンズ（第１光学部材）
２：第２レンズ（第２光学部材）
４：第１保持枠（第１保持部材）
５：第２保持枠（第２保持部材）
７：カム環
８：固定筒
９：第１操作環（第１操作部材）
１０：第２操作環（第２操作部材）
１１：フォーク（連結部）
１８：螺合部
【図１】
2019124866.tif 000003
【図２】
2019124866.tif 000004
【図３】
2019124866.tif 000005
【図４】
2019124866.tif 000006
【図５】
2019124866.tif 000007
【図６】
2019124866.tif 000008
【図７】
2019124866.tif 000009
【図８】
2019124866.tif 000010
【図９】
2019124866.tif 000011